(57)【要約】【課題】確実なシール効果を得ることができ、しかも安価である配線基板、電気光学装置及び電子機器を提供する。【解決手段】ベース部材２３と、ベース部材２３の第１面Ｐ１側に形成された信号線３２と、ベース部材２３における第１面Ｐ１の裏面である第２面Ｐ２側に形成されたＧＮＤパターン３３と、ＧＮＤパターン３３が設けられた領域のベース部材２３の側方に張り出す張出し部３４とを有する配線基板である。張出し部３４にはＧＮＤパターン３３と同電位のＧＤＮパターン３３が含まれる。張出し部３４をインターフェース部２２の第１面Ｐ１側へ折り曲げれば、信号線３２をＧＮＤパターン３３によって表裏から挟むことができ、ノイズの進入を防止できる。【選択図】        図７
2004152984.tif 000002
【特許請求の範囲】
【請求項１】
ベース部材と、
該ベース部材の第１面側に形成された信号線と、
前記ベース部材における前記第１面の裏面である第２面側に形成されたＧＮＤパターンと、
前記ベース部材における前記ＧＮＤパターンが設けられた領域の側方に張り出す張出し部とを有し、
該張出し部には前記ＧＮＤパターンと同電位のＧＮＤパターンが含まれることを特徴とする配線基板。
【請求項２】
請求項１に記載の配線基板において、
前記張出し部は前記ベース部材の前記第１面側に折り曲げられることを特徴とする配線基板。
【請求項３】
請求項２に記載の配線基板において、
折り曲げられた前記張出し部は接着剤によって前記ベース部材に接着されることを特徴とする配線基板。
【請求項４】
請求項１から請求項３の少なくともいずれか１つに記載の配線基板において、
前記ベース部材と前記張出し部の境界部分に、前記張出し部の折り曲げの際の抵抗力を小さくするための穴を有することを特徴とする配線基板。
【請求項５】
請求項１から請求項４の少なくともいずれか１つに記載の配線基板において、
前記張出し部に含まれる前記ＧＮＤパターンの前記第２面側の表面には接点材料が被覆されることを特徴とする配線基板。
【請求項６】
信号の供給を受ることにより電気光学物質の特性を表示ドット単位で変化させることができる電気光学パネルと、
該電気光学パネルへ信号を供給する配線基板とを有し、
該配線基板は請求項１から請求項５の少なくともいずれか１つに記載の配線基板によって構成される
ことを特徴とする電気光学装置。
【請求項７】
請求項６に記載の電気光学装置において、
前記電気光学パネルは外部接続端子を有し、前記配線基板は出力端子を有し、該出力端子は前記電気光学パネルの外部接続端子に接続され、前記配線基板は前記電気光学パネルの外側へ張り出すインターフェース部分を有し、前記配線基板の前記張出し部は前記インターフェース部分に設けられることを特徴とする電気光学装置。
【請求項８】
請求項６又は請求項７に記載の電気光学装置と、該電気光学装置の動作を制御する制御回路とを有することを特徴とする電子機器。
【発明の詳細な説明】
【０００１】
【発明の属する技術分野】
本発明は、信号を伝送する配線基板に関する。また、本発明は、その配線基板を用いて構成される電気光学装置に関する。また、本発明は、その電気光学装置を用いて構成される電子機器に関する。
【０００２】
【従来の技術】
携帯電話機、携帯情報端末機等といった電子機器においては、液晶装置、有機ＥＬ装置、プラズマディスプレイ装置等といった電気光学装置が広く用いられている。例えば、それらの電気光学装置は、電子機器に関する各種の情報を表示するための表示部として用いられている。
【０００３】
電気光学装置は、液晶、有機ＥＬ等といった電気光学物質に印加する電界を表示の最小単位である表示ドットごとに制御することにより、電気光学物質の特性を表示ドットごとに変化させることにより、表示を行うものである。この電気光学装置は、液晶等といった電気光学物質を保持する電気光学パネルと、その電気光学パネルに信号を供給するための配線基板とを有するのが一般的である。
【０００４】
配線基板は、ポリイミド等によって形成されたフィルム状のベース部材の少なくとも一方の表面に配線パターンを形成し、この配線パターンを通して外部回路から信号や電源電圧を電気光学パネルへ供給する。ベース部材が可撓性を有するような配線基板はＦＰＣ（Ｆｌｅｘｉｂｌｅ  Ｐｒｉｎｔｅｄ  Ｃｉｒｃｕｉｔ）と呼ばれることがある。また、ベース部材の表裏両面に配線パターンやその他のパターンが形成される構造の配線基板は、両面配線基板と呼ばれることがある（例えば、特許文献１参照）。
【０００５】
また、配線基板の層構造を３層以上の多層構造とし、それらの多層構造にＧＮＤパターンを少なくとも２層含ませた配線基板も知られている（例えば、特許文献２参照）。
【０００６】
【特許文献１】
特開２０００−１２４５５８号公報
【特許文献２】
特開平５−１６０５４０号公報
【０００７】
【発明が解決しようとする課題】
しかしながら、両面配線基板のような従来構造の配線基板では、シールド効果が低く、電気光学装置の表示が乱れるおそれがあった。また、配線構造を３層以上の多層構造にして、そのうち２層以上をＧＮＤパターンにした構造の従来の配線基板では、部品コスト及び製造コストが高くなるという問題があった。
【０００８】
本発明は、上記の問題点に鑑みて成されたものであって、配線パターンによって伝送される信号にノイズが載ることを抑え、確実なシールド効果を得ることができ、しかも安価である配線基板、電気光学装置及び電子機器を提供することを目的とする。
【０００９】
【課題を解決するための手段】
（１）  上記の目的を達成するため、本発明に係る配線基板は、ベース部材と、該ベース部材の第１面側に形成された信号線と、前記ベース部材における前記第１面の裏面である第２面側に形成されたＧＮＤパターンと、前記ベース部材における前記ＧＮＤパターンが設けられた領域の側方に張り出す張出し部とを有し、該張出し部には前記ＧＮＤパターンと同電位のＧＮＤパターンが含まれることを特徴とする。
【００１０】
この配線基板によれば、張出し部をベース部材の第１面側へ折り曲げれば、その折り曲げられた張出し部に含まれるＧＮＤパターンとベース部材に含まれるＧＮＤパターンとによって配線パターンを挟むことができるので、高いシールド効果を得ることができる。しかも、本発明に係る配線基板はベース部材の表裏両面にパターンが形成される構造の両面配線基板であって、３層以上の多層構造にする必要が無いので、安価に作製できる。
【００１１】
（２）  以上のように、本発明の配線基板においては、前記張出し部を前記ベース部材の前記第１面側に折り曲げることにより、確実なシールド効果を得ることができる。
【００１２】
（３）  上記構成の配線基板において、折り曲げられた前記張出し部は接着剤によって前記ベース部材に接着されることが望ましい。こうすれば、張出し部に含まれるＧＮＤパターンを配線パターンに対して常に一定の位置に保持できるので、安定したシールド効果を得ることができる。
【００１３】
（４）  上記構成の配線基板においては、前記ベース部材と前記張出し部の境界部分に、前記張出し部の折り曲げの際の抵抗力を小さくするための穴を設けることが望ましい。こうすれば、折り曲げた後の張出し部の跳ね返りを防止できるので、安定したシールド効果を得ることができる。
【００１４】
（５）  上記構成の配線基板において、前記張出し部に含まれる前記ＧＮＤパターンの前記第２面側の表面には接点材料が被覆されることが望ましい。接点材料としては、例えば、金（Ａｕ）を使用できる。この構成によれば、張出し部をベース部材側へ折り曲げた後、張出し部のＧＮＤパターンの表面を被覆する接点材料がベース部材の外方へ露出するので、この接点材料を介してＧＮＤパターンをＧＮＤ電位に接続できる。
【００１５】
（６）  次に、本発明に係る電気光学装置は、信号の供給を受ることにより電気光学物質の特性を表示ドット単位で変化させることができる電気光学パネルと、該電気光学パネルへ信号を供給する配線基板とを有し、該配線基板は以上に記載した構成の配線基板によって構成されることを特徴とする。
【００１６】
上記構成において、電気光学物質とは、電界が印加されたときに光学的な特性が変化する物質のことであり、例えば、液晶、有機ＥＬ、プラズマガス等が適用できる。また、電気光学装置としては、電気光学物質として液晶を利用する液晶装置、電気光学物質として有機ＥＬを利用する有機ＥＬ装置、あるいは、電気光学物質としてプラズマ放電用のガスを用いるプラズマディスプレイ装置等が考えられる。
【００１７】
また、上記の電気光学パネルとは、上記の電気光学装置のうちから配線基板を除いた構造のことであり、例えば、電気光学物質である液晶を一対の電極で挟んだ構造を有する構造体や、電気光学物質である有機ＥＬを一対の電極で挟んだ構造を有する構造体や、電気光学物質であるプラズマガスを一対の電極で挟んだ構造を有する構造体等が考えられる。
【００１８】
なお、この電気光学パネルは、市場において電気光学パネルとして認識される１つのユニットのことであり、液晶層を一対のガラス基板によって挟んだパネル構造が１つのユニットと認識される場合はその１つのユニットが電気光学パネルである。また、液晶層を一対のガラス基板によって挟み、さらに、それらの基板の外側の表面に偏光板を貼着した構造を１つのユニットと認識する場合には、その偏光板を含んだユニットが電気光学パネルとなる。このように、電気光学パネルの概念は市場における認識に応じて種々に考えられる。
【００１９】
本発明に係る電気光学装置によれば、内蔵する配線基板においてシールド効果を高めることができ、しかも配線基板を安価に製造できるので、電気光学装置における光学特性を安定に保持でき、しかも安価に製造できる。
【００２０】
（７）  上記構成の電気光学装置において、前記電気光学パネルは外部接続端子を有することができ、前記配線基板は出力端子を有することができ、該出力端子は前記電気光学パネルの外部接続端子に接続することができ、前記配線基板は前記電気光学パネルの外側へ張り出すインターフェース部分を有することができ、そして、前記配線基板の前記張出し部は前記インターフェース部分に設けることができる。
【００２１】
上記のインターフェース部分は、電気光学パネルと電子機器側の制御回路とをつなげて両者の間で信号の授受を行う部分である。この部分は、電子機器の中で直接に外気に晒されることが多いので、ノイズが載り易い部分である。従って、このインターフェース部分に本発明に係る張出し部を設け、さらにそれをベース部材側へ折り曲げることによってシールド効果を高めることは非常に有効である。
【００２２】
（８）  次に、本発明に係る電子機器は、以上に記載した構成の電気光学装置と、該電気光学装置の動作を制御する制御回路とを有することを特徴とする。本発明に係る電気光学装置はノイズの影響を受け難く、しかも安価であるので、これを用いて構成された電子機器も、ノイズの影響を受け難く、しかも安価に製造できる。このような電子機器としては、携帯電話機、携帯情報端末機、ＰＤＡ、その他種々の機器が考えられる。
【００２３】
【発明の実施の形態】
（電気光学装置の実施形態）
以下、本発明に係る電気光学装置の一実施形態を液晶装置を例に挙げて説明する。また、本発明に係る配線基板を、液晶装置に適用する場合を例に挙げて説明する。
【００２４】
図１は、電気光学装置の一実施形態である液晶装置１を示している。この液晶装置１は、電気光学パネル２と、配線基板３と、照明装置６と、フレーム７とを有する。照明装置６は、ＬＥＤ（Ｌｉｇｈｔ  Ｅｍｉｔｔｉｎｇ  Ｄｉｏｄｅ）等によって構成された点状光源８と、導光体９とを有する。導光体９は、受光面９ａと出光面９ｂとを有し、受光面９ａから取り込んだ点状光を出光面９ｂから面状の光として出射して液晶パネル２へ供給する。照明装置６は、矢印Ａで示す観察方向から見て液晶パネル２の背面に配置されて、バックライトとして機能する。
【００２５】
液晶パネル２は、第１基板１１ａと第２基板１１ｂとをそれらの周囲に設けたシール材１２によって貼り合せることによって形成される。これらの基板１１ａ及び１１ｂは、透光性のガラスや、透光性のプラスチック等によって形成される。第１基板１１ａの内側表面には第１電極が形成され、第２基板１１ｂの内側表面には第２電極が形成され、それらの電極の間に形成される間隙、いわゆるセルギャップ内に液晶、すなわち電気光学物質が封入される。
【００２６】
液晶は、シール材１２の適所に形成した開口１３を通してセルギャップ内へ注入される。そして、その開口１３は液晶の注入後、樹脂によって封止される。なお、第１基板１１ａの外側表面には第１偏光板１４ａが貼着される。また、第２基板１１ｂの外側表面には第２偏光板が貼着される。図１では、第２基板１１ｂの裏面は見ることができないので、第２偏光板の図示は省略してある。
【００２７】
第１基板１１ａは第２基板１１ｂの外側へ張り出す張出し部１４を有し、この張出し部１４の表面、図１では張出し部１４の下面に駆動用ＩＣ１６ｘ及び駆動用ＩＣ１６ｙが適宜の接合材、例えばＡＣＦ（Ａｎｉｓｏｔｒｏｐｉｃ  Ｃｏｎｄｕｃｔｉｖｅ  Ｆｉｌｍ：異方性導電膜）を用いて実装される。また、張出し部１４の辺端には外部回路との間で電気的な接続をとるための外部接続端子１７が形成されている。
【００２８】
電気光学パネル２は、市場における認識の仕方によってその構成が異なることがあるが、例えば、偏光板１４ａ及びその反対面の偏光板（図示せず）を除いた基板１１ａ及び１１ｂの貼合せ体を電気光学パネルと呼ぶこともあるし、偏光板を含んだ基板１１ａ及び１１ｂの貼合せ体を電気光学パネルと呼ぶこともあるし、場合によっては、基板１１ａ及び１１ｂの貼合せ体及び照明装置６をフレーム７によって組み付けた後の構造体を電気光学パネルと呼ぶこともある。本実施形態では、偏光板を含めた基板１１ａ及び１１ｂの貼合せ体を電気光学パネルと呼ぶことにする。
【００２９】
電気光学パネル２としては、単純マトリクス方式の液晶パネルや、ＴＦＤ（Ｔｈｉｎ  Ｆｉｌｍ  Ｄｉｏｄｅ）等といった２端子型のスイッチング素子を用いるアクティブマトリクス方式の液晶パネルや、ＴＦＴ（Ｔｈｉｎ  Ｆｉｌｍ  Ｔｒａｎｓｉｓｔｏｒ）等といった３端子型のスイッチング素子を用いるアクティブマトリクス方式の液晶パネル等が必要に応じて用いられる。
【００３０】
単純マトリクス方式を採用する場合を考えれば、第１基板１１ａ上の第１電極又は第２基板１１ｂ上の第２電極の一方は、縦方向Ｘに延びると共に横方向Ｙへ互いに平行に並べられた複数の直線状電極によって、いわゆるストライプ状に構成される。また、第１電極及び第２電極の他方は、横方向Ｙに延びると共に縦方向Ｘへ互いに平行に並べられた複数の直線状電極によって、いわゆるストライプ状に構成される。
【００３１】
これらのストライプ状電極をＡ方向から見ると、それらのストライプ状電極が交差する部分に形成されるドット状の微小領域が、縦方向Ｘ及び横方向Ｙにわたってマトリクス状に配列することが分かる。これらのドット状領域の１つづつが表示の最小単位である表示ドットを構成し、それら複数の表示ドットの集まりによって有効表示領域Ｖが構成される。
【００３２】
第１ストライプ電極又は第２ストライプ電極の一方に走査信号を供給し、それらの電極の他方にデータ信号を供給することにより、上記複数の表示ドットからいくつかを選択してそれらの表示ドットに所定のオン電圧を印加する。これにより、液晶層内の液晶分子の配向を表示ドットごとに制御して、該表示ドットを通過する光を変調する。こうして変調された光が第１偏光板１４ａを通過するか、あるいは通過しないかによって有効表示領域Ｖ内に像を表示する。
【００３３】
次に、ＴＦＤ等といった２端子型のスイッチング素子を用いたアクティブマトリクス方式を採用する場合を考えれば、第１基板１１ａ及び第２基板１１ｂの一方には、縦方向Ｘ及び横方向Ｙにわたってマトリクス状に並べられたドット状電極が形成される。また、第１基板１１ａ及び第２基板１１ｂの他方には、縦方向Ｘ及び横方向Ｙのいずれか一方に延びると共に他方へ平行に並べられたストライプ状電極が形成される。
【００３４】
液晶パネル２を矢印Ａ方向から見ると、一方の基板上に形成されたドット状電極と他方の基板上に形成されたトライプ状電極とが重なることによって形成されるドット状の微小領域が、縦方向Ｘ及び横方向Ｙにわたってマトリクス状に配列することが分かる。これらのドット状領域の１つづつが表示の最小単位である表示ドットを構成し、それら複数の表示ドットの集まりによって有効表示領域Ｖが構成される。
【００３５】
第１基板１１ａ又は第２基板１１ｂの一方には、上述のようにストライプ状電極が形成される。そして、それらの基板の他方には、そのストライプ状電極に直交する位置関係でストライプ状のライン配線が形成される。上記複数のドット状電極の個々にはＴＦＤ等といった２端子型のスイッチング素子の一方の端子が接続される。そして、それらのスイッチング素子の他方の端子は、上記のストライプ状のライン配線に接続される。
【００３６】
これらのライン配線又はそれに対向するストライプ電極の一方に走査信号を供給し、それらの他方にデータ信号を供給することにより、上記複数の表示ドットからいくつかを選択してそれらの表示ドットに所定のオン電圧を印加する。これにより、液晶層内の液晶分子の配向を表示ドットごとに制御して、該表示ドットを通過する光を変調する。こうして変調された光が第１偏光板１４ａを通過するか、あるいは通過しないかによって有効表示領域Ｖ内に像を表示する。
【００３７】
次に、ＴＦＴ等といった３端子型のスイッチング素子を用いたアクティブマトリクス方式を採用する場合を考えれば、第１基板１１ａ及び第２基板１１ｂの一方には、縦方向Ｘ及び横方向Ｙにわたってマトリクス状に並べられたドット状電極が形成される。また、第１基板１１ａ及び第２基板１１ｂの他方には、有効表示領域Ｖと略同じ面積の面状電極が形成される。
【００３８】
液晶パネル２を矢印Ａ方向から見ると、一方の基板上に形成されたドット状電極と他方の基板上に形成された面状電極とが重なることによって形成されるドット状の微小領域が、縦方向Ｘ及び横方向Ｙにわたってマトリクス状に配列することが分かる。これらのドット状領域の１つづつが表示の最小単位である表示ドットを構成し、それら複数の表示ドットの集まりによって有効表示領域Ｖが構成される。
【００３９】
複数のドット状電極が形成された基板上には、互いに直交する位置関係で直線状の走査線及びデータ線が絶縁状態で形成される。そして、ＴＦＴ等といった３端子型のスイッチング素子の１つの端子が走査線に接続され、それらのスイッチング素子の他の１つの端子がデータ線に接続され、それらのスイッチング素子の残りの１つの端子がドット状電極に接続される。
【００４０】
上記の走査線に走査信号を供給し、さらに上記のデータ線にデータ信号を供給することにより、上記複数の表示ドットからいくつかを選択してそれらの表示ドットに所定のオン電圧を印加する。これにより、液晶層内の液晶分子の配向を表示ドットごとに制御して、該表示ドットを通過する光を変調する。こうして変調された光が第１偏光板１４ａを通過するか、あるいは通過しないかによって有効表示領域Ｖ内に像を表示する。
【００４１】
以上の液晶パネル２において、第１基板１１ａ又は第２基板１１ｂにカラーフィルタを形成すれば、有効表示領域Ｖにカラー像を表示することができる。この場合、カラーフィルタは、３原色であるＲ（赤）、Ｇ（緑）、Ｂ（青）の各色絵素を個々の表示ドットに対応させて所定のパターン、例えばストライプパターン、デルタパターン、モザイクパターンで配列する。そして、Ｒ，Ｇ，Ｂの３個の表示ドットによって１つの画素が形成される。なお、カラーフィルタを用いない白黒表示の場合は、１つの表示ドットによって１つの画素が形成される。
【００４２】
なお、液晶パネル２には、偏光板１４ａ以外の光学要素、例えば位相差板が必要に応じて設けられることがある。また、液晶パネル２と照明装置６との間には、拡散フィルムや集光フィルム等といった光学要素が必要に応じて配設されることがある。また、照明装置６の導光体９の底面には反射フィルム等といった光学要素が必要に応じて設けられることがある。しかしながら、本実施形態では、それらの光学要素の図示は省略してある。
【００４３】
以上のように、有効表示領域Ｖを形成する第１基板１１ａ上の電極及び第２基板１１ｂ上の電極には、走査信号及びデータ信号が供給されるのであるが、これらの信号は、第１基板１１ａの張出し部１４上に実装した駆動用ＩＣ１６ｘ及び１６ｙから出力される。例えば、真中に実装した駆動用ＩＣ１６ｘからデータ信号が出力され、そして、両脇の２つの駆動用ＩＣ１６ｙから走査信号が出力される。
【００４４】
次に、配線基板３は、一方の辺端に出力端子１８が形成され、他方の辺端に入力端子１９が形成されている。出力端子１８が形成された配線基板３の辺端部分は、第１基板１１ａの張出し部１４の辺端部に、ＡＣＦ等といった導電接続要素によって直接に又はヒートシール等といった介在基板を介して間接に接続される。これにより、液晶パネル２の外部接続端子と配線基板３の出力端子１８が電気的に接続される。一方、配線基板３の入力端子１９には、液晶装置１が設置される電子機器側の制御回路の出力端子に接続される。
【００４５】
配線基板３の全般的な断面構造は、例えばＡ−Ａ線に従った断面図である図５（ａ）に示す通りである。具体的には、ポリイミド等によって形成された可撓性のベース部材２３の第１面Ｐ１側の表面上に、銅（Ｃｕ）等によって信号線２４ａが希望のパターンで形成され、その上にカバーレイ２６ａがベース部材２３の略全面にわたって形成される。また、第１面Ｐ１の反対側の面である第２面Ｐ２側のベース部材２３の表面上に、銅等によって信号線２４ｂが希望のパターンで形成され、その上にカバーレイ２６ｂが形成される。表裏両面の信号線２４ａと２４ｂは、必要に応じて、スルーホール３１によって電気的な導通がとられている。このように、本実施形態において配線基板３は、表裏両面に信号線が形成される構造の可撓性の配線基板、いわゆる両面ＦＰＣとして形成されている。
【００４６】
この配線基板３は、図１に示すように、二股に分かれた部分である回路搭載部２１と、インターフェース部２２とを有する。回路搭載部２１の第１面Ｐ１側には、所定の回路を構成するＩＣチップ２７や、コンデンサ、抵抗、コイル等といったチップ部品２８がはんだ付けによって実装されている。この回路搭載部２１の第１面Ｐ１側には、図５（ｂ）に示すように、レジスト２９が設けられる。レジスト２９が設けられる領域にはカバーレイ２６ａは設けられない。
【００４７】
一方、図１のインターフェース部２２には、Ｃ−Ｃ線に従った断面図である図６（ａ）に示すように、ベース部材２３の第１面Ｐ１側の表面上に信号線３２が形成され、その上にカバーレイ２６ａが形成される。また、ベース部材２３の第２面Ｐ２側の表面上にカバーレイ２６ｂが形成される。また、インターフェース部２２の適所には、必要に応じて、図１のＤ−Ｄ線に従った断面図である図６（ｂ）に示すように、信号線３２の反対面、すなわち第２面Ｐ２側の表面上に、例えば銅によってＧＮＤ（グランド）パターン３３が形成される。このＧＮＤパターン３３はＧＮＤ電位に接続されるパターン部であって、信号線３２にノイズが載ることを防止する。
【００４８】
図１において、配線基板３のインターフェース部２２の適所には外側へ張り出す張出し部３４が設けられる。この張出し部３４には、図７（ａ）に示すように、ベース部材２３の第１面Ｐ１側の表面上にカバーレイ２６ａが形成され、その第２面Ｐ２側の表面上にＧＮＤパターン３３が形成される。カバーレイ２６ａ及びＧＮＤパターン３３は、それぞれ、インターフェース部２２に形成されたものと同一層のものである。
【００４９】
また、張出し部３４の第２面Ｐ２側の表面上及び張出し部３４に対応する部分のインターフェース部２２の第２面Ｐ２側の表面上、の両方に形成したＧＮＤパターン３３の表面は接点材料３６、例えば金（Ａｕ）によって被覆されている。また、インターフェース部２２と張出し部３４との境界部分には貫通穴３７が設けられている。
【００５０】
図１において、配線基板３は、出力端子１８を設けた辺端部分において液晶パネル２の第１基板１１ａの張出し部１４に接続される。一方、光源８が実装された光源基板３８がフレーム７の辺端部分に装着される。次に、導光体９が、その受光面９ａが光源８に対向するように、フレーム７に装着される。そして次に、配線基板３が接続されている液晶パネル２をフレーム７に装着することにより、その液晶パネル２を導光体９に対向して配置させる。こうして液晶装置１が形成される。
【００５１】
このように形成された液晶装置１を表裏反転させると図２に示す状態になる。次に、配線基板３は矢印Ｆで示すようにその全体がフレーム７の底面へ向けて折り曲げられる。すると、図３（ａ）に示すように、配線基板３の回路搭載部２１及びインターフェース部２２がフレーム７の底面に折り畳まれる。このとき、回路搭載部２１は、両面テープ、接着剤等によってフレーム７の底面に接着させることが望ましい。
【００５２】
配線基板３のインターフェース部２２は、矢印Ｇで示すように折り線Ｈを境にして、再度、折り曲げられる。これにより、図３（ｂ）に示すように、インターフェース部２２の先端部分２２ａがフレーム７の外側へ張り出す状態になる。このとき、インターフェース部２２の折り曲げられた根元部分２２ｂは両面テープ、接着剤等によって接着することが望ましい。
【００５３】
図３（ｂ）のようにインターフェース部２２が折り曲げられた状態の液晶装置１の表裏を裏返すと、図４（ａ）に示すようになる。この状態で、液晶パネル２の表示領域Ｖはフレーム７から外部へ露出している。この表示領域Ｖ内に文字、数字、図形等といった像が表示される。この状態において、インターフェース部２２の張出し部３４が矢印Ｊで示すように、穴３７を設けた境界部分を境としてインターフェース部２２の方向へ折り曲げられる。
【００５４】
こうして折り曲げられた張出し部３４は、図４（ｂ）に示すように、インターフェース部２２の表面に接触する。インターフェース部２２と張出し部３４の境界部分には貫通穴３７が設けられているので、張出し部３４の折り曲げは容易に行うことができ、さらに折り曲げられた張出し部３４が自身の弾性力によってインターフェース部２２から離れることが防止される。なお、折り曲げられた張出し部３４は、両面テープ、接着剤等によってインターフェース部２２に接着させることが望ましい。
【００５５】
このようにして折り曲げられた部分の断面状態をＫ−Ｋ線に従った断面図として示すと図７（ｂ）に示す通りである。図７（ｂ）において、折り曲げられた張出し部３４は、インターフェース部２２の表面に接着剤３９によって接着されている。この状態により、インターフェース部２２に設けた信号線３２は、インターフェース部２２自身のＧＮＤパターン３３と、折り曲げられた張出し部３４に含まれるＧＮＤパターン３３とによって、表裏から挟まれた状態になる。
【００５６】
このように、信号線３２をＧＮＤパターン３３によって表裏から挟むようにすれば、両面配線構造、すなわち２層配線構造によって信号線３２の裏面、すなわち片面だけにＧＮＤパターン３３を設ける構造に比べて、信号線３２にノイズが載ることを、より一層確実に防止できる。
【００５７】
信号線３２を表裏両面からＧＮＤパターンで挟むことを通常の配線基板構造によって実現しようとすれば、配線基板を両面構造、すなわち２層構造にするだけでは不十分であり、３層構造以上の配線構造を採用しなければならない。しかしながら、３層以上の配線構造は高価である。これに対し、本実施形態のように、両面配線構造の張出し部３４を本体側へ折り曲げることによって信号線３２をＧＮＤパターン３３で挟むようにすれば、配線基板を非常に安価に作製できる。
【００５８】
図７（ａ）において、インターフェース部２２の第２面Ｐ２側のＧＮＤパターン３３には接点材料３６が被覆され、さらに、張出し部３４の第２面Ｐ２側のＧＮＤパターン３３にも接点材料３６が被覆されている。従って、張出し部３４を図７（ｂ）のようにインターフェース部２２へ折り曲げた場合には、その折り曲げ部分の表裏両面において接点材料３６が外部へ露出している。
【００５９】
図４（ｂ）に示す液晶装置１が電子機器内、例えば携帯電話機内の所定の位置に設置されたとき、インターフェース部２２の接点材料３６の所に電子機器側のＧＮＤ端子が存在すれば、液晶装置１内のインターフェース部２２内のＧＮＤパターン３３（図７（ｂ）参照）がその接点材料３６を介して電子機器の制御系のＧＮＤ電位に接続される。従って、張出し部３４は、電子機器側のＧＮＤ端子に対応させてインターフェース部２２に設けることが望ましい。
【００６０】
（変形例）
張出し部３４は、図８（ａ）に示すように、インターフェース部２２の長手方向にわたって、より広い幅に形成することができる。こうすれば、張出し部３４を矢印Ｊのようにインターフェース部２２の方向へ折り曲げたとき、信号線を広い領域にわたってＧＮＤパターン３３で挟むことができるので、より高いノイズ遮蔽効果、すなわち、より高いシールド効果を得ることができる。
【００６１】
また、張出し部３４とインターフェース部２２との境界部分に設ける貫通穴３７は、図８（ｂ）に示すように、張出し部３４の側辺部分で開口すると共に張出し部３４の中央へ向かって延びる穴とすることができる。
【００６２】
以上の実施形態では、本発明を液晶装置に適用したが、本発明はその他の電気光学装置、例えば、有機ＥＬ（Ｅｌｅｃｔｒｏ  Ｌｕｍｉｎｅｓｃｅｎｃｅ）装置、プラズマディスプレイ（Ｐｌａｓｍａ  Ｄｉｓｐｌａｙ）装置、電気泳動ディスプレイ（ＥＰＤ：Ｅｌｅｃｔｒｏｐｈｏｒｅｔｉｃ  Ｄｉｓｐｌａｙ）装置、フィールド・エミッション・ディスプレイ（ＦＥＤ：Ｆｉｅｌｄ  Ｅｍｉｓｓｉｏｎ  Ｄｉｓｐｌａｙ）装置等にも適用できる。
【００６３】
（電子機器の実施形態）
以下、本発明に係る電子機器を実施形態を挙げて説明する。なお、この実施形態は本発明の一例を示すものであり、本発明はこの実施形態に限定されるものではない。
【００６４】
図９は、本発明に係る電子機器の一実施形態を示している。ここに示す電子機器は、表示情報出力源１０１、表示情報処理回路１０２、電源回路１０３、タイミングジェネレータ１０４及び液晶装置１０５によって構成される。そして、液晶装置１０５は液晶パネル１０７及び駆動回路１０６を有する。
【００６５】
表示情報出力源１０１は、ＲＡＭ（Ｒａｎｄｏｍ  Ａｃｃｅｓｓ  Ｍｅｍｏｒｙ）等といったメモリや、各種ディスク等といったストレージユニットや、ディジタル画像信号を同調出力する同調回路等を備え、タイミングジェネレータ１０４により生成される各種のクロック信号に基づいて、所定フォーマットの画像信号等といった表示情報を表示情報処理回路１０２に供給する。
【００６６】
次に、表示情報処理回路１０２は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０６へ供給する。ここで、駆動回路１０６は、走査線駆動回路（図示せず）やデータ線駆動回路（図示せず）と共に、検査回路等を総称したものである。また、電源回路１０３は、上記の各構成要素に所定の電源電圧を供給する。
【００６７】
液晶装置１０５は、例えば、図１に示した液晶装置１と同様に構成できる。液晶装置１は、張出し部３４に含まれるＧＮＤパターン３３によってインターフェース部２２を走る信号線にノイズが載ることを防止できるので、図９の電子機器に用いられる液晶装置１０５は鮮明な表示を行うことができる。
【００６８】
図１０は、本発明に係る電子機器の他の実施形態であるモバイル型のパーソナルコンピュータを示している。ここに示すパーソナルコンピュータ１１０は、キーボード１１２を備えた本体部１１４と、液晶表示ユニット１１６を備えたカバー部１１８とから構成されている。この液晶表示ユニット１１６を、図１に示した液晶装置１によって構成すれば、その表示ユニット１１６においてノイズに影響されない鮮明な表示を行うことができる。
【００６９】
図１１は、本発明に係る電子機器のさらに他の実施形態である携帯電話機を示している。ここに示す携帯電話機１２０は、ヒンジ１２２を中心として折り畳み可能な第１ボディ１２１ａと第２ボディ１２１ｂとを有する。そして、第１ボディ１２１ａには、液晶表示装置１２３と、受話口１２４と、アンテナ１２６とが設けられる。また、第２ボディ１２１ｂには、複数の操作ボタン１２７と、送話口１２８とが設けられる。液晶表示装置１２３を、図１に示した液晶装置１によって構成すれば、その液晶表示装置１２３においてノイズに影響されない鮮明な表示を行うことができる。
【００７０】
図１２は、本発明に係る電子機器のさらに他の実施形態である腕時計型電子機器を示している。ここに示す腕時計型電子機器１４０は、時計本体１４１に支持された表示部としての液晶表示装置１４２を有する。液晶表示装置１４２は、時計本体１４１の内部に設けた制御回路１４３によって制御されて、時刻、日付等を表示部１４２に情報として表示する。液晶表示装置１４２を、図１に示した液晶装置１によって構成すれば、その液晶表示装置１４２においてノイズに影響されない鮮明な表示を行うことができる。
【００７１】
図１３は、本発明に係る電子機器のさらに他の実施形態であるＰＤＡ（Ｐｅｒｓｏｎａｌ  Ｄｉｇｉｔａｌ  Ａｓｓｉｓｔａｎｔ：パーソナル・デジタル・アシスタント：携帯型情報端末装置）を示している。ここに示すＰＤＡ１５０は、接触方式、いわゆるタッチパネル方式の入力装置１５１をその正面パネル上に有する。この入力装置１５１は透明であり、その下には表示部としての液晶表示装置１５２が配置されている。使用者は、付属のペン型入力具１５３を入力装置１５１の入力面に接触させることにより、液晶表示装置１５２に表示されたボタン、その他の表示を選択したり、文字、図形等を描いたりして、必要な情報を入力する。この入力情報に対してＰＤＡ１５０内のコンピュータによって所定の演算が行われ、その演算の結果が液晶表示装置１５２に表示される。液晶表示装置１５２として、図１に示した液晶装置１を用いれば、その液晶表示装置１５２においてノイズに影響されない鮮明な表示を行うことができる。
【００７２】
（変形例）
なお、電子機器としては、以上に説明したパーソナルコンピュータや、携帯電話機や、腕時計型電子機器や、ＰＤＡの他にも、液晶テレビや、ビューファインダ型又はモニタ直視型のビデオテープレコーダや、カーナビゲーション装置や、ページャや、電子手帳や、電卓や、ワードプロセッサや、ワークステーションや、テレビ電話機や、ＰＯＳ端末器等が挙げられる。
【００７３】
（その他の実施形態）
以上、好ましい実施形態を挙げて本発明を説明したが、本発明はその実施形態に限定されるものでなく、請求の範囲に記載した発明の範囲内で種々に改変できる。
【図面の簡単な説明】
【図１】本発明に係る電気光学装置の一実施形態である液晶装置を分解状態で示し、同時に、本発明に係る配線基板の一実施形態を示す斜視図である。
【図２】図１の液晶装置を裏返して示す斜視図である。
【図３】配線基板の処理工程を示す斜視図である。
【図４】配線基板の他の処理工程を示す斜視図である。
【図５】配線基板の主要部の断面構造を示す断面図である。
【図６】配線基板の他の主要部の断面構造を示す断面図である。
【図７】配線基板のさらに他の主要部の断面構造を示す断面図である。
【図８】本発明に係る配線基板の他の実施形態を示す斜視図である。
【図９】本発明に係る電子機器の一実施形態を示すブロック図である。
【図１０】本発明に係る電子機器の他の実施形態を示す斜視図である。
【図１１】本発明に係る電子機器のさらに他の実施形態を示す斜視図である。
【図１２】本発明に係る電子機器のさらに他の実施形態を示す斜視図である。
【図１３】本発明に係る電子機器のさらに他の実施形態を示す斜視図である。
【符号の説明】
１：液晶装置（電気光学装置）
２：電気光学体
３：配線基板
４：液晶パネル
６：照明装置
７：フレーム
８：光源
９：導光体
１１ａ：第１基板
１１ｂ：第２基板
１４：張出し部
３６ｘ，３６ｙ：駆動用ＩＣ
２１：回路搭載部
２２：インターフェース部
２３：ベース部材
２４ａ，２４ｂ：信号線
２６ａ，２６ｂ：カバーレイ
２７：ＩＣチップ
２８：チップ部品
２９：レジスト
３１：スルーホール
３２：信号線
３３：ＧＮＤパターン
３４：張出し部
３６：接点材料
３７：貫通穴
３８：光源基板
３９：接着剤
Ｐ１：第１面
Ｐ２：第２面
【図１】
2004152984.tif 000003
【図２】
2004152984.tif 000004
【図３】
2004152984.tif 000005
【図４】
2004152984.tif 000006
【図５】
2004152984.tif 000007
【図６】
2004152984.tif 000008
【図７】
2004152984.tif 000009
【図８】
2004152984.tif 000010
【図９】
2004152984.tif 000011
【図１０】
2004152984.tif 000012
【図１１】
2004152984.tif 000013
【図１２】
2004152984.tif 000014
【図１３】
2004152984.tif 000015